(57)【特許請求の範囲】
【請求項１】
鏡筒部に左右一対のダハプリズムと夫々内向角をもって配置された左右一対の対物レンズとが備えられたグリノー型の実体顕微鏡において、
前記一対のダハプリズムの出射光軸が夫々前記各対物レンズの光軸に対して内側に向くように構成され、
前記実体顕微鏡を正面側から見たときに前記各ダハプリズムの出射面が、頂点と底辺の中点とを結ぶ線に対して対称な屋根型形状となる位置を保ち、
前記実体顕微鏡を正面側から見たときの、前記各対物レンズの内向角をθ、前記各ダハプリズムの前記出射面における頂点と底辺の中点とを結ぶ線の前記各対物レンズの光軸に対する傾斜角をγとしたとき、γをほぼθ／２となるようにしたことを特徴とする実体顕微鏡。
【請求項２】
鏡筒部に左右一対のダハプリズムと夫々内向角をもって配置された左右一対の対物レンズとが備えられたグリノー型の実体顕微鏡において、
前記一対のダハプリズムの出射光軸が夫々前記各対物レンズの光軸に対して内側に向くように構成され、
前記実体顕微鏡を正面側から見たときに前記各ダハプリズムの出射面が、頂点と底辺の中点とを結ぶ線に対して対称な屋根型形状となる位置を保ち、
前記実体顕微鏡を正面側から見たときの、前記各対物レンズの内向角をθ、前記各ダハプリズムの前記出射面における頂点と底辺の中点とを結ぶ線の前記各対物レンズの光軸に対する傾斜角をγとしたとき、γが（θ／４）＜γ＜（３・θ／４）を満足する範囲にあることを特徴とする実体顕微鏡。
【請求項３】
前記ダハプリズムを対物レンズの光軸を軸として回転し得るように構成することにより、眼幅調整を可能にしていることを特徴とする請求項１又は２に記載の実体顕微鏡。
【請求項４】
前記ダハプリズムの手前側に平行四辺形プリズムが一対配置されていることを特徴とする請求項１又は２に記載の実体顕微鏡。
【請求項５】
前記ダハプリズムからの出射光軸を夫々中心として回転する一対の第１反射ミラー及び該第１反射ミラーと夫々一体的に保持されている一対の第２反射ミラーとが配置されていることを特徴とする請求項１又は２に記載の実体顕微鏡。
【請求項６】
前記第１反射ミラーへの入射光軸と前記第２反射ミラーからの出射光軸とのなす角が５〜３０°に設定されていることを特徴とする請求項５に記載の実体顕微鏡。
【請求項７】
前記対物レンズがズームレンズであることを特徴とする請求項１〜６のいずれかに記載の実体顕微鏡。
【発明の詳細な説明】
【０００１】
【発明の属する技術分野】
本発明は実体顕微鏡に関し、特に左右一対の対物レンズが一定の内向角をもって配置されているグリノー型の実体顕微鏡に関する。
【０００２】
【従来の技術】
実体顕微鏡、特にグリノー型の実体顕微鏡は、物体を立体的に拡大観察しながら作業したり、物体の奥深い部分を観察したりするために用いられる。又、この種の実体顕微鏡は、他の装置に取り付けられて用いられることも多い。特に、半導体や精密機器の製造工程、バイオテクノロジー分野等で用いられる場合には、精密で高度な作業が必要とされるため、小型でしかも長時間の観察を行っても疲れにくい実体顕微鏡が要求されている。
【０００３】
従来の実体顕微鏡の鏡筒部は、例えば実開平１−１６４４１０号公報に開示されているような像正立のための光学系を備えているものが多い。このような光学系の構成を図５に示す。尚、図５中、（ａ），（ｂ），（ｃ）は夫々光学系の側面図，平面図，正面図である。この像正立光学系の特徴は、ミラー４１，４２，４３，４４がポロ２型プリズムの反射面と同位置に配置されているものを対物レンズ４５の光軸上に配置し、ミラー４２，４３，４４の角度を変えることにより鏡筒部の角度が可変になっていることである。このような光学系は、廉価且つ構成，設計が容易なため、広く実体顕微鏡の鏡筒部に採用されている。しかし、一方で、図５（ｂ），（ｃ）に示すように、ミラー４２，４３が対物レンズ４５と接眼レンズ（不図示）とを結ぶ直線上に配置されていないため、鏡筒部の小型化ができないという欠点がある。
【０００４】
又、ダハプリズムも像正立のための光学系のひとつである。特に、稜線ダハプリズムと呼ばれるタイプのものを実体顕微鏡の鏡筒部に用いる場合には、ポロプリズムの欠点である対物レンズと接眼レンズとを結ぶ直線上から外れた位置に配置されるようなこともなく、鏡筒部をコンパクトに構成することができる。
【０００５】
図６（ａ）は稜線ダハプリズムをグリノー型の実体顕微鏡の鏡筒部に用いた場合を想定したときの物体像の倒れの状態を説明するための図、同図（ｂ）は前記鏡筒部内に備えられる各光学部材の配置を示す鏡筒部の正面側から見た図、同図（ｃ）は前記鏡筒部に配置される稜線ダハプリズムへの入射光が偏向される様子を説明するための鏡筒部の側面側から見た光軸に沿う図である。図６（ｂ）に示すように、このグリノー型の実体顕微鏡の鏡筒部には、対物レンズ５１，稜線ダハプリズム５２からなる光学系が一対内向角θをもって対称に配置されている。そして、夫々内向角θをもって配置された一対の対物レンズ５１を介した物体像は、夫々一対の稜線ダハプリズム５２に入射され、ここで図６（ｃ）に示すようにα°（図６に示された実体顕微鏡では４５°）偏向されて正立した像５３が形成される。又、同図（ａ）に示すように、物体面上奥向きに刻まれた矢印５４は、像５３の面上に矢印５５として投影される。
このように、稜線ダハプリズムをグリノー型の実体顕微鏡の鏡筒部に用いた場合には、用いる部品点数も少なく稜線ダハプリズムの配置位置が対物レンズの光軸上から外れることはないため、非常にコンパクト且つ単純な構成となる。
【０００６】
又、図７（ａ）は別の稜線ダハプリズムをグリノー型実体顕微鏡の鏡筒部に用いた場合を想定したときの鏡筒内に備えられる各光学部材の配置を示す鏡筒部の正面側から見た図、同図（ｂ）は前記鏡筒部内に配置される稜線ダハプリズムへの入射光が偏向される様子を説明するための鏡筒部の側面側から見た光軸に沿う図である。このグリノー型実体顕微鏡の構成は、偏向角αが９０°である稜線ダハプリズム５６が用いられている点以外は、図６に示されたものと同様である。
【０００７】
しかし、このように稜線ダハプリズムはグリノー型の実体顕微鏡には好適ではあるが、実際に稜線ダハプリズムが用いられているグリノー型の実体顕微鏡はない。これは、グリノー型の実体顕微鏡において鏡筒部を傾斜させた場合に必然的に生じる左右の物体像の倒れを取り去れないことによる。元来実体顕微鏡で観察される左右の像は各々回転した状態で結像されるため、左右像の倒れがあまり大きいと観察者の頭の中で左右の像を立体的に合成できず、例え合成できたとしても疲労を助長する原因となる。
【０００８】
これを図６及び図７に示した図を用いて説明する。左右の像５３の面上に投影された矢印５５がなす角β（即ち像の倒れ）は、ダハプリズム５６の偏向角αが９０°の場合には図７（ａ）に示すように内向角θと同じ大きさとなり、偏向角が９０°よりも小さい場合にはβはｓｉｎαで変化する。従って、ダハプリズムの偏向角が大きくなる程、自然に発生する物体像の倒れは大きくなる。尚、左右の像の倒れは３°程度以内に抑えないと人間は頭の中で左右像を合成することができなくなる。内向角θは通常５〜６°に設定されるため、前記偏向角αが３０°以上になった場合には、物体像を立体的な合成像として観察するためには何らかの対策が必要となる。このように、グリノー型の実体顕微鏡では、物体像の倒れを補正するための方法が必須となる。
【０００９】
ダハプリズムと共に用いることが可能で物体像の倒れを補正できるものとしては、実開平１−１６４４１０号公報に開示されているような、２枚のミラーを用いて像の倒れがなくなるような角度にミラーを回転させる方法が適している。しかし、この方法は、像の倒れを補正するためのミラーの回転角を複雑なベクトル計算によって求めなければならないため、設計が難しい上、ミラーを回転させた状態で保持する保持具の設計，製作も困難になる。
【００１０】
【発明が解決しようとする課題】
以上のように、物体像の倒れを補正する方法として、従来のグリノー型の実体顕微鏡の鏡筒部に備えられているポロプリズムを用いると、鏡筒部の小型化が困難になる。一方で、ダハプリズムを用いる方法は、前述のような設計，製作が難しく、採用しにくいという問題が残る。
【００１１】
そこで、本発明は上記のような従来技術の有する問題点に鑑み、鏡筒部にダハプリズムを用いても、物体像の倒れがなく、廉価で設計も容易な小型のグリノー型実体顕微鏡を提供することを目的とする。又、長時間観察しても観察者が疲労を感じない実体顕微鏡を提供することも、本発明の目的である。
【００１２】
上記目的を達成するため、本発明による実体顕微鏡は、鏡筒部に左右一対のダハプリズムと夫々内向角をもって配置された左右一対の対物レンズとが備えられたグリノー型の実体顕微鏡において、前記一対のダハプリズムの出射光軸が夫々前記各対物レンズの光軸に対して内側に向くように構成され、前記実体顕微鏡を正面側から見たときに前記各ダハプリズムの出射面が、頂点と底辺の中点とを結ぶ線に対して対称な屋根型形状となる位置を保ち、前記実体顕微鏡を正面側から見たときの、前記各対物レンズの内向角をθ、前記各ダハプリズムの前記出射面における頂点と底辺の中点とを結ぶ線の前記各対物レンズの光軸に対する傾斜角をγとしたとき、γをほぼθ／２となるようにしたことを特徴とする。
【００１３】
また、本発明による実体顕微鏡は、鏡筒部に左右一対のダハプリズムと夫々内向角をもって配置された左右一対の対物レンズとが備えられたグリノー型の実体顕微鏡において、前記一対のダハプリズムの出射光軸が夫々前記各対物レンズの光軸に対して内側に向くように構成され、前記実体顕微鏡を正面側から見たときに前記各ダハプリズムの出射面が、頂点と底辺の中点とを結ぶ線に対して対称な屋根型形状となる位置を保ち、前記実体顕微鏡を正面側から見たときの、前記各対物レンズの内向角をθ、前記各ダハプリズムの前記出射面における頂点と底辺の中点とを結ぶ線の前記各対物レンズの光軸に対する傾斜角をγとしたとき、γが（θ／４）＜γ＜（３・θ／４）を満足する範囲にあることを特徴とする。
また、本発明の実体顕微鏡においては、前記ダハプリズムを対物レンズの光軸を軸として回転し得るように構成することにより、眼幅調整を可能にするのが好ましい。
また、本発明の実体顕微鏡においては、前記ダハプリズムの手前側に平行四辺形プリズムが一対配置されているのが好ましい。
また、本発明の実体顕微鏡においては、前記ダハプリズムからの出射光軸を夫々中心として回転する一対の第１反射ミラー及び該第１反射ミラーと夫々一体的に保持されている一対の第２反射ミラーとが配置されているのが好ましい。
【００１４】
【発明の実施の形態】
本発明の実体顕微鏡の基本的な構成を図１に基づき説明する。図１（ａ）は本発明の実体顕微鏡における物体像の倒れの状態を説明するための図、同図（ｂ）は本発明の実体顕微鏡の鏡筒部に備えられる各光学部材の配置を示す鏡筒部の正面側から見た図、同図（ｃ）は前記鏡筒部に配置されるダハプリズムへの入射光が偏向される様子を説明するための鏡筒部の側面側から見た光軸に沿う図である。
【００１５】
図１（ｂ）に示すように、本発明の実体顕微鏡の鏡筒部は、対物レンズ１と対物レンズ１の光軸上に配置されたダハプリズム２とからなる光学系が一対内向角θをもって対称に配置されて構成されている。又、観察光路は左右独立に形成されている。
この実体顕微鏡では、内向角θで傾けられて配置された夫々左右の対物レンズ１から出射された物体像は、図１（ｃ）に示すような入射光をα°偏向して出射するダハプリズム２に入射される。一方、一対のダハプリズム２は図１（ｂ）に示すように夫々内向するように対物光軸に対して傾斜角γをもって配置されている。そして、ダハプリズム２からの出射光は、ダハプリズムの特性により、入射光の傾きとは反対方向にダハプリズムの中心軸に対して傾斜角γ′（≒γ）をもつて出射され、正立した左右の像３が形成される。ここで、左右の像３を形成する夫々の光軸６は互いに略平行となっている。
【００１６】
更に、物体面上に刻まれた奥向き方向の矢印４は、図１（ａ）に示すように、夫々像３の面上に矢印５として投影される。このとき、これら一対の矢印５は互いに平行になっている。これは、一対のダハプリズム２が夫々前述のように対物光軸に対し傾斜角γをもって配置されていることによる。このように、本発明の実体顕微鏡によれば、左右の像の倒れが補正されて結像されるため、左右像が乱れることはない。
【００１７】
以上のように、本発明の実体顕微鏡では、鏡筒部内に配置される各光学部材は夫々左右の光路中に一列に配置されているため、鏡筒部が必要以上に大型化することはなくコンパクトな構成を達成できる。又、左右の観察像の倒れを良好に補正し得ることから、観察者に余計な疲労感を与えることもない。更に、かかる左右像の倒れの補正は、ダハプリズムの対物光軸に対する傾斜角度を適切に設定することのみによって行われ、他の余分な光学部材を必要としないことから、用いる部品点数が増加することもなく、廉価なものとなる。
【００１８】
基本的には、前記傾斜角γを各対物レンズの内向角θの１／２にすることが最も好ましい。尚、種々の条件を考慮してγの値を修正する場合でも（θ／４）＜γ＜（３・θ／４）を満足する範囲内であれば、本発明の効果を得ることができる。
【００１９】
以下、図示した実施例に基づき本発明を詳細に説明する。
【００２０】
第１実施例
図２（ａ）は本実施例にかかる実体顕微鏡の鏡筒部に備えられる各光学部材の配置を示す鏡筒部の正面側から見た図、同図（ｂ）は前記鏡筒部に配置されるダハプリズムへの入射光が偏向される様子を説明するための鏡筒部の側面側から見た光軸に沿う図である。
【００２１】
本実施例の実体顕微鏡の鏡筒部は、図２（ａ）に示すように、対物レンズ１１と対物レンズ１１の光軸上に配置されたダハプリズム１２とからなる光学系が一対内向角６°をもって対称に配置されて構成されている。又、観察光路は左右独立に形成されている。
この実体顕微鏡では、内向角６°をもって互いに配置された一対の対物レンズ１１から出射された物体像は、図２（ｂ）に示すような入射光を９０°偏向して出射するダハプリズム１２に入射される。一方、一対のダハプリズム１２は互いに内向するように対物光軸に対して傾斜角γをもって配置されている。尚、本実施例ではγ≒３゜である。一対のダハプリズム１２からの出射光は、それへの入射光の傾きとは反対方向に傾斜角γと実質上同一の傾斜角γ′をもって出射され、正立した左右の像１３が形成される。このとき、左右の像１３を形成する光軸１５は互いに略平行となっている。
【００２２】
更に、物体面上に刻まれた奥向き方向の矢印は、夫々左右の像１３の面上に矢印１４として投影される。これら一対の矢印１４は互いに平行になっている。これは、一対のダハプリズム１２が夫々前述のように対物光軸に対し傾斜角γをもって配置されていることによる。
このように、本発明の実体顕微鏡によれば、左右の像の倒れが補正されて結像されるため、左右像が乱れることはない。
【００２３】
尚、本実施例の実体顕微鏡では、一対のダハプリズム１２を対物光軸を軸として回転し得るように構成することにより、眼幅調整を可能にしている。この眼幅調整のためのダハプリズムの回転に伴って像の倒れ量は変化するが、標準位置での倒れを除去しているため、倒れが変化しても実際観察上は問題にならないレベルに収まる。又、ダハプリズム１２は、対物光軸に対して傾けて配置されているため、傾斜させないで用いる場合と比べてやや大きめのものを必要とするが、鏡筒部の小型化を阻むほどのものではない。
【００２４】
以上のように、本実施例の実体顕微鏡によれば、ダハプリズムを用いたにもかかわらず、左右像の倒れは生じない。よって、観察者に余計な疲労感を与えることもない。又、用いられる部品点数は少なく、コンパクトに構成されるため、廉価で設計も容易である。
【００２５】
第２実施例
図３（ａ）は本実施例にかかる実体顕微鏡の鏡筒部に備えられる光学部材の配置を示す鏡筒部の正面側から見た図、同図（ｂ）は前記鏡筒部に配置されるダハプリズムへの入射光が偏向される様子を説明するための鏡筒部の側面側から見た光軸に沿う図である。
【００２６】
本実施例の実体顕微鏡の鏡筒部は、図３（ａ）に示すように、対物レンズ２１と対物レンズ２１の光軸上に配置されたダハプリズム２２とからなる光学系が一対内向角６°をもって対称に配置されて構成されている。又、観察光路は左右独立に形成されている。そして、内向角６°をもって互いに配置された一対の対物レンズ２１から出射された物体像は、図３（ｂ）に示すような入射光を４５°偏向して出射するダハプリズム２２に入射される。又、これらダハプリズム２２の手前側には、眼幅調整のための平行四辺形プリズム２６が一対配置されている。一方、一対のダハプリズム２２は互いに内向するように対物光軸に対して傾斜角γをもって配置されている。尚、本実施例ではγ≒３゜である。ダハプリズム２２からの出射光は、それへの入射光の傾きとは反対方向に傾斜角γと実質上同一の傾斜γ′をもつて出射され、平行四辺形プリズム２６に入射される。このとき、夫々平行四辺形プリズム２６への入射光軸２５は互いに略平行となっている。そして、平行四辺形プリズム２６内において２回反射された後出射され、正立した左右の像２３が形成される。
【００２７】
更に、物体面上に刻まれた奥向き方向の矢印は、夫々左右の像２３の面上に矢印２４として投影される。これら一対の矢印２４は互いに平行になっている。これは、一対のダハプリズム２２が夫々前述のように対物光軸に対し傾斜角γをもって配置されていることによる。
このように、本実施例の実体顕微鏡によれば、左右の像の倒れが補正されて結像されるため、左右像が乱れることはない。
又、眼幅調整のための平行四辺形プリズム２６は光軸２５を中心に回転し得るようになっているが、平行四辺形プリズム２６における入射光軸と出射光軸とは常に平行であるため、前記左右像の倒れは変化しない。
【００２８】
尚、ダハプリズム２２は、対物光軸に対して傾けて配置されているため、傾斜させないで用いる場合と比べてやや大きめのものを必要とするが、鏡筒部の小型化を阻むほどのものではない。
【００２９】
以上のように、本実施例の実体顕微鏡によれば、ダハプリズムを用いたにもかかわらず、左右の像の倒れは生じない。よって、観察者に余計な疲労感を与えることもない。又、用いられる部品点数は少なく、コンパクトに構成されるため、廉価で設計も容易である。
又、本実施例の実体顕微鏡では、物体面に対する左右の像２３の結像位置を下げており、これに伴いアイポイント位置も下げることができるため、観察者はより楽な姿勢で観察することができる。
【００３０】
第３実施例
図４（ａ）は本実施例にかかる実体顕微鏡の鏡筒部に備えられる各光学部材の配置を示す鏡筒部の正面側から見た図、同図（ｂ）は前記鏡筒部に配置されるダハプリズムへの入射光が偏向される様子を説明するための鏡筒部の側面側から見た光軸に沿う図である。
【００３１】
本実施例の実体顕微鏡の鏡筒部は、図４（ａ）に示すように、対物レンズ３１と対物レンズ３１の光軸上に配置されたダハプリズム３２とからなる光学系が一対内向角６°をもって対称に配置されて構成されている。又、観察光路は左右独立に形成されている。そして、内向角６°をもって互いに配置された一対の対物レンズ３１から出射された物体像は、図４（ｂ）に示すように、入射光を４５°偏向して出射するダハプリズム３２に入射される。
一方、一対のダハプリズム３２は互いに内向するように対物光軸に対して傾斜角γをもって配置されている。尚、本実施例ではγ≒３°である。ダハプリズム３２からの出射光は、それへの入射光の傾きとは反対方向に傾斜角γと実質上同一の傾斜角γ′をもつて出射される。このとき、夫々左右のダハプリズム３２からの出射光軸３３は互いに略平行となっている。
【００３２】
更に、これらダハプリズム３２の手前側には、ダハプリズム３２からの出射光軸３３を夫々中心として回転する一対の第１反射ミラー３４及びこの第１反射ミラー３４と夫々一体的に保持されている一対の第２反射ミラー３５とが配置されている。一対のダハプリズム３２からの出射光は夫々一対の第１反射ミラー３４及び一対の第２反射ミラー３５により反射された後正立した左右の像３６を形成することになるが、このとき第１反射ミラー３４への入射光軸３３と第２反射ミラー３５からの出射光軸３７とのなす角は５〜３０°に設定されていることが好ましい。このようにすることで、長時間の観察においても疲労を少なくすることができる。
【００３３】
更に、物体面上に刻まれた奥向き方向の矢印は、夫々左右の像３６の面上に矢印３８として投影される。これら一対の矢印３８は互いに平行になっている。これは、一対のダハプリズム３２が夫々前述のように対物光軸に対し傾斜角γをもって配置されていることによる。
このように、本発明の実体顕微鏡によれば、左右の像の倒れが補正されて結像されるため、左右像が乱れることはない。
【００３４】
又、本実施例の実体顕微鏡では、第１反射ミラー３４及び第２反射ミラー３５が光軸３３を中心に一体的に回転されることにより眼幅調整が行われるが、この回転に伴い像の倒れ量が変化する。然しながら、前述のように、第１反射ミラー３４への入射光軸３３と第２反射ミラー３５からの出射光軸３７とのなす角が５〜３０°に設定されているので、この倒れ量の変化は問題とならないレベルである。
【００３５】
尚、ダハプリズム３２は、対物光軸に対して傾けて配置されているため、傾斜させないで用いる場合と比べてやや大きめのものを必要とするが、鏡筒部のコンパクト化を阻むほどのものではない。
【００３６】
以上のように、本実施例の実体顕微鏡によれば、ダハプリズムを用いたにもかかわらず、左右の像の倒れは生じない。よって、観察者に余計な疲労感を与えることもない。又、用いられる部品点数は少なく、コンパクトに構成されるため、廉価で設計も容易である。
又、本実施例の実体顕微鏡においても、物体面に対する左右の像３６の結像位置を下げており、第２実施例の実体顕微鏡と比べても更に浅い角度での観察を可能としているため、観察者は首を曲げることなくより楽な姿勢で観察することができる。
【００３７】
更に、上記各実施例において、対物レンズをズームレンズで構成してもよく、各ダハプリズムの傾斜角を別の角度に設定しても差し支えない。又、各実施例に示されているプリズムに代えてミラー、ミラーに代えてプリズムを用いることもできる。又、本発明の実体顕微鏡では最も好ましい状態を得るために稜線ダハプリズムを用いているが、一般的なポロプリズムを用いても同様の効果を得ることはできる。
【００３８】
以上、実施例からも明らかなように、ダハプリズム２の傾斜角γを各対物レンズの内向角θのほぼ１／２としたとき最も良好に像の倒れを除去することができる。但し、例えば第１実施例のようにダハプリズムを回転させて眼幅調整を行う場合は、ダハプリズムの回転に伴って像の倒れ量が変化する。又、第３実施例のような構成でも眼幅調整に伴って像の倒れが変化する。このような条件を考慮すると、最適な傾斜角γは必ずしも内向角θの１／２と等しくなるとは限らないが、その場合でも、θ／２に対してγが大きくずれることはない。
【００３９】
このように傾斜角γの値は個々の実体顕微鏡の設計条件によって多少のずれはあるが、本発明の意図は、ダハプリズムからの出射光は入射光の傾きの反対向きに実質上同じ角度傾いて出射される、というダハプリズムの特性を利用し、対物レンズの光軸に対してダハプリズムを傾斜して配置してダハプリズムからの出射光を対物レンズの光軸に対して傾斜させることにより、像の倒れを除去するようにした点にある。実際上、γの値はθ／２に対して±（θ／４）の範囲内であれば、本発明の効果を得ることが出来るものと考えられる。
【００４０】
以上説明したように、本発明による実体顕微鏡は特許請求の範囲に記載された特徴と併せ、以下の（１），（２）に記載の特徴も備えている。
【００４１】
（１）入射光軸と略平行に光を出射し前記入射光軸を軸として回転可能な２つの反射面を有する反射部材が備えられていることを特徴とする請求項１に記載の実体顕微鏡。
この構成によれば、眼幅調整を行っても倒れの変化が生じない。
【００４２】
（２）上記ダハプリズムの出射光軸に対する物体像を形成する光軸の角度を５〜３０°の範囲で設定し得る２つの反射部材が備えられていることを特徴とする請求項１に記載の実体顕微鏡。
この構成によれば、長時間の観察でも疲労の少ない観察角度を実現することができる。
【００４３】
（３）各対物レンズの内向角をθ、各ダハプリズムの各対物レンズの光軸に対する傾斜角をγとしたとき、γが（θ／４）＜γ＜（３・θ／４）を満たす範囲内にあることを特徴とする請求項１に記載の実体顕微鏡。
【００４４】
【発明の効果】
上述のように、本発明によれば、部品点数が少なく単純な構成で良好な状態の物体像が得られる小型の実体顕微鏡を提供することができる。又、部品点数が少なく設計が容易であるため廉価でもある。更に、物体面に対するアイポイント位置を低くして観察角度を浅く設定することにより、観察者にとって観察し易く疲労の少ない実体顕微鏡を提供することができる。
【図面の簡単な説明】
【図１】（ａ）は本発明の実体顕微鏡における観察像の倒れの状態を説明するための図、（ｂ）は本発明の実体顕微鏡の鏡筒部に備えられる各光学部材の配置を示す鏡筒部の正面側から見た図、（ｃ）は前記鏡筒部に配置されるダハプリズムへの入射光が偏向される様子を説明するための鏡筒部の側面側から見た光軸に沿う図である。
【図２】（ａ）は第１実施例にかかる実体顕微鏡の鏡筒部に備えられる各光学部材の配置を示す鏡筒部の正面側から見た図、（ｂ）は前記鏡筒部に配置されるダハプリズムへの入射光が偏向される様子を説明するための鏡筒部の側面側から見た光軸に沿う図である。
【図３】（ａ）は第２実施例にかかる実体顕微鏡の鏡筒部に備えられる各光学部材の配置を示す鏡筒部の正面側から見た図、（ｂ）は前記鏡筒部に配置されるダハプリズムへの入射光が偏向される様子を説明するための鏡筒部の側面側から見た光軸に沿う図である。
【図４】（ａ）は第３実施例にかかる実体顕微鏡の鏡筒部に備えられる各光学部材の配置を示す鏡筒部の正面側から見た図、（ｂ）は前記鏡筒部に配置されるダハプリズムへの入射光が偏向される様子を説明するための鏡筒部の側面側から見た光軸に沿う図である。
【図５】（ａ），（ｂ）及び（ｃ）は夫々従来の実体顕微鏡の鏡筒部に用いられる像正立のための各光学部材の配置を示す側面図，平面図及び正面図である。
【図６】（ａ）は稜線ダハプリズムをグリノー型の実体顕微鏡に用いた場合を想定したときの物体像の倒れの状態を説明するための図、（ｂ）はその実体顕微鏡の鏡筒部に備えられる各光学部材の配置を示す鏡筒部の正面側から見た図、（ｃ）は前記鏡筒部に配置される稜線ダハプリズムへの入射光が偏向される様子を説明するための鏡筒部の側面側から見た光軸に沿う図である。
【図７】（ａ）は他の稜線ダハプリズムをグリノー型の実体顕微鏡に用いた場合を想定したときの物体像の倒れの状態を説明するための図、（ｂ）はその実体顕微鏡の鏡筒部に備えられる各光学部材の配置を示す鏡筒部の正面側から見た図、（ｃ）は前記鏡筒部に配置される稜線ダハプリズムへの入射光が偏向される様子を説明するための鏡筒部の側面側から見た光軸に沿う図である。
【符号の説明】
１，１１，２１，３１，４５，５１      対物レンズ
２，１２，２２，３２，５２，５６      ダハプリズム
３，１３，２３，３６，５３            像
４，５，１４，２４，３８，５４，５５  矢印
６，１５，２５，３３，３７            光軸
２６    平行四辺形プリズム
３４，３５，４１，４２，４３，４４    ミラー
【図１】
0003827397.tif 000002
【図２】
0003827397.tif 000003
【図３】
0003827397.tif 000004
【図４】
0003827397.tif 000005
【図５】
0003827397.tif 000006
【図６】
0003827397.tif 000007
【図７】
0003827397.tif 000008